(57)【要約】      （修正有）【課題】どこにでも移設・順応でき、簡単でマルチな、耐震装置・火消し蓋付き壺兼用熱源順当かまどと、これを熱源として用いる装置を提供する。【解決手段】開口部を有する珪藻土製の耐熱性容器と、開口部を開閉する耐震装置・火消蓋付き壺と、着火装置とを備える、さらに、踏み台と、踏み台と壺とを連結する火消し蓋開閉機構とを備え、耐震装置の作動、又は、踏み台の操作により、火消し蓋開閉機構を通じて、火消し蓋の開閉状態を制御する。【選択図】図３
0003175458.tif 000002
【実用新案登録請求の範囲】
【請求項１】
少なくとも上部に開口部を有する耐熱性容器と、前記耐熱性容器の上部の開口部を開閉できるように設けられた耐震装置付き火消蓋と、着火装置とを備える、バイオマスペレット燃料用の耐震装置付き火消し壺兼用熱源順応かまど。
【請求項２】
前記耐熱性容器が、珪藻土製の容器である、請求項１に記載のバイオマスペレット燃料用の耐震装置付き火消し壺兼用熱源順応かまど。
【請求項３】
さらに、踏み台と、前記踏み台と前記耐震装置付き火消蓋とを連結する火消蓋開閉機構とを備える耐震装置付き火消し壺兼用熱源順応かまどであって、耐震装置の作動によるか、踏み台を操作することで、火消蓋開閉機構を通じて、火消蓋の開閉状態を制御するものである、請求項１又は２に記載のバイオマスペレット燃料用の耐震装置付き火消し壺兼用熱源順応かまど。
【請求項４】
前記着火装置が、ポリプロピレンを原料としたものを穴空き金属製ペレット状カプセルに収納させたものである、請求項１〜３のいずれかに記載のバイオマスペレット燃料用の耐震装置付き火消し壺兼用熱源順応かまど。
【請求項５】
請求項１〜４のいずれかに記載のバイオマスペレット燃料用の耐震装置付き火消し壺兼用熱源順応かまどを熱源として用いるストーブ放熱熱源組込み機装置。
【請求項６】
請求項１〜５のいずれかに記載のバイオマスペレット燃料用の耐震装置付き火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記熱交換器排出口に繋がる冷暖給水切替機・給湯保温機の保温・給湯・床冷暖房機と、前記発電機で発生した電気によって駆動する床・空調冷暖房機とを備える、床・空調冷暖房機装置。
【請求項７】
請求項１〜６のいずれかに記載のバイオマスペレット燃料用の耐震装置付き火消し壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記発電機で発生した電気をバッテリー充電と電力変換機装置を通して使用したり、直接電源として使用出来る自家発電機装置。
【考案の詳細な説明】
【技術分野】
【０００１】  本考案は、専用ボイラーの熱源かまどとしても、又、単独でも料理用かまどとしても、また、前記ストーブ放熱熱源組込み機としての活用出来て、蒸気タービンの自家発電機と充電器・電力変換機で各種電源も用意出来て、熱交換器・熱エネルギー保温機を以って、モーターポンプ・送風機を自己完結型にて駆動させることで、給湯・床・空調冷暖両用となるバイオマスペレット燃料用の耐震装置付き火消し壺兼用熱源順応かまどに関する。
【背景技術】
【０００２】  ペレットを燃料とするストーブやボイラーは、色々あるが、どの燃料源も、薪・バイオマスペレットも自在に使用できる内容の物はなくて、更に、有事の場合にも複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、家庭ゴミを産業廃棄物化しない装置で、より費用対効果ある家庭単位のセパレート化が希求されている、
本考案に関連して、特許証登録内容には、自家製の高密度グリーンなバイオマスペレット燃料の製造方法が登録されている。
【特許文献】
【０００３】
【特許文献】特許第４７４６７０５号
【考案の概要】
【考案が解決しようとする課題】
【０００４】  本考案は、上述した実情に鑑みてなされたものであり、より環境にやさしく、どこにでも移設・順応出来る簡単・単純なマルチなバイオマスペレット燃料用の火消し壺兼用熱源順応かまど・ストーブ放熱熱源組込・床及び空調冷暖房・給湯・発電機装置を提供することを目的とする。
【課題を解決するための手段】
【０００５】  本考案者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製バイオマス燃料からストーブで直接に、そして、複合的に、ボイラー・蒸気タービンの自家発電気で以ってそれに代えられる物とするために直接複合的順応マルチかまどを考案した。【０００６】  かくして本考案によれば、下記（１）〜（４）のバイオマスペレット燃料用の耐震装置付き火消し壺兼用熱源順応かまど、（５）のストーブ放熱熱源組込み機、（６）の冷暖房空調機装置、（７）の床冷暖房・給湯装置、（８）発電機装置が提供される。
（１）少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源順応かまど。
（２）前記耐熱性容器が、珪藻土製の容器である、（１）に記載の耐震装置付き火消し壺兼用熱源順応かまど。
（３）さらに、踏み台と、前記踏み台と前記耐震装置付き火消蓋とを連結する火消蓋開閉機構とを備えるバイオマスペレット燃料用の耐震装置付き火消し壼兼用熱源順応かまどであって、耐震装置によるか、踏み台を操作することで、火消蓋開閉機構を通じて、火消蓋の開閉状態を制御するものである、（１）又は（２）に記載の耐震装置付き火消し壺兼用熱源順応かまど。
（４）前記着火装置が、ポリプロピレンを原料としたものを穴空き金属製ペレット状カプセルに収納させたものである、（１）〜（３）のいずれかに記載の耐震装置付き火消し壺兼用熱源順応かまど。
（５）前記（１）〜（４）のいずれかに記載の耐震装置付き火消し壺兼用熱源順応かまどを熱源として用いるストーブ放熱熱源組込み機。
（６）前記（１）〜（５）のいずれかに記載の耐震装置付き火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機装置と、前記蒸気タービンの蒸気排気口と接続された熱交換器と、前記発電機で発生した電気によって駆動する冷暖房空調機とを備える、冷暖房空調機装置。
（７）前記（１）〜（６）のいずれかに記載の耐震装置付き火消し壺兼用熱源順応かまどを熱源として用いるボイラーと、前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯装置。
（８）前記（１）〜（７）のいずれかに記載の耐震装置付き火消し壼兼用熱源順応かまどを熱源として用いる前記ボイラーで発生した蒸気で駆動する蒸気タービンと、前記蒸気タービンで発生した高速回転運動エネルギーに比例した高出力電気エネルギーに変換する発電機によって発生した高出力電気を電力変換機装置を経て各種電圧・源を供給したり、選択充電を使用したり出来る前記蒸気タービンで発生した高速回転運動エネルギーを高出力電気エネルギーに変換する発電機装置。【０００７】  前記（１）〜（８）のいずれかに記載のバイオマスペレット燃料用の耐震装置付き火消し壺兼用熱源順応かまどを熱源として同時複合燃料化することで、貴重な前記バイオマスペレット燃料エネルギー１容量に対して、エネルギー複数容量に変換増大化出来ることによって、バイオマスペレット燃料燃料の供給が忘却・不足・停止されても、前記ボイラー内臓の温度感知センサー（２）の作動にて、持続してエネルギー供給増大化できるバイオマスペレット燃料エネルギーの前記（１）〜（８）の各種変換増大化装置。
【考案の効果】
【０００８】  前記のように一極集中的大型プラントでないセパレート家庭単位毎ミニプラントであって、対既存化石・電気エネルギーに与しない、費用対効果の高いグリーンなバイオマスペレット燃料・蒸気エネルギーとによるボイラー蒸気高速回転タービン・高出力発電機と変換電気とで単純・簡単構造にしてリーズナブルな低廉価格でしかも本格的なエネルギー供給可能な燃料源としてのバイオマスペレットかまどを環境・防衛・経済・財政問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭の生ゴミを産業廃棄物化せずに１エネルギーを同時発生的に使用すれば、エネルギー増大化・費用対効果を持続的に望めるマルチタイプの熱源かまどであるバイオマスペレット燃料用の耐震装置付き火消し壺兼用熱源順応かまど・各種変換増大化装置を考案したのである。
【図面の簡単な説明】
【０００９】
【図１】  本考案の耐震装置付き火消し壺兼用熱源順応かまどの正面図である。
【図２】  本考案の耐震装置付き火消し壺兼用熱源順応かまどの側面図である。
【図３】  本考案の耐震装置付き火消し壺兼用熱源順応かまどの踏み台を外した状態側Ａ−Ａ”断面図である。
【図４】  本考案の耐震装置付き火消し壺兼用熱源順応かまどの踏み台を踏んだ状態のＡ−Ａ”側断面図である。
【図５】  本考案のストーブの耐震装置付き火消し壺兼用熱源順応かまど組込の正面図である。
【図６】  本考案のストーブの耐震装置付き火消し壺兼用熱源順応かまど組込の側面図である。
【図７】  本考案のシステム実施例を示す図である。
【考案を実施するための形態】
【００１０】  グリーンなバイオマスペレット燃料用の耐震装置付き火消し壺兼用熱源順応かまどには、複合的マルチタイプの単体移設型システム内容が求められている。本考案のバイオマスペレット燃料用の耐震装置付き火消し壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫がバイオマスペレット燃料用の耐震装置付き火消し壺兼用熱源順応かまどである。
【００１１】  本考案に用いる燃料ペレットは特に制限されず、しかしながら、ダイオキシンや重金属の除去されていないものや、余分なものが混在している、例えば、放射能をかぶったバイオマスの除洗が出来ていないものは制限されるが、それらに対して（０００３）特許のペレット燃料は全てを満たしているから制限されないが、そのように満たされずに制限されないのであれば、寧ろ、用途・防衛的には、石炭・コークスは、バイオマスの使用量を超えないバランス範囲内であれば、制限されるべきではないと言っても過言では無いのである。
【００１２】  以下、添付図面符号に従って一実施例を説明する、
図３・４は、本考案のバイオマスペレット燃料用の耐震装置付き火消し壺兼用熱源順応かまどの実施例を示す図２の断面図である、
図３・４中、（１１）は、ストーブ用耐熱珪藻土かまど、（１４）は、バイオマスペレット燃料置き空気孔付き受皿、（１５）、はかまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳物棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋アジャスター、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋アジャスター継ぎ手支点、（３１）は、火消壺・かまど、（３２）は、目皿の火消蓋自在取付具で、（３９）の自在解除具を併せ持つ、（３３）は、鋳物製目皿（２５）と火消蓋・目皿自在継ぎ手（２７）との継ぎ手丁番である、
図３において、鋳物製目皿（２５）は、鋳物製目皿（２５）と火消蓋・目皿自在継ぎ手（２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳物棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【００１３】  図３・４に示すかまど・火消壺は、バイオマスペレット燃料をバイオマスペレット燃料置き空気孔付き受皿（１４）内に入れ、（２９）の火消蓋を（３２）の自在取付具より放すに、（２５）の目皿の隙間から軽く叩き落とすか、（３２）の取付具を解放して（３１）火消壺・かまど内に落とし、（１５）のかまどの空気調整口を開けて、そこでバイオマスペレット燃料を燃焼させる装置である。
【００１４】  また、使用を中断したい場合等においては、以下のように、（３９）のストッパーを外してから、又は、耐震装置（３７）の金属ボールが、自在解除具（３２）を作動して、（３９）のストッパーが外れて、燃焼中のバイオマスペレット燃料を火消壺（３１）中に落とし、消火することができる、すなわち、火消用落し蓋アジャスター踏み台（２３）を足で踏むことによるか、耐震装置（３７）により、（２５）の目皿、（２８）の火消用落し蓋、（１４）の中身の燃料の合計重量より（２４）の鋳・鉄棒の重量は、重いか、又は、尚更に合計重量に加えて、（３７）の金属ボールの移動落下荷重によって一時的に２倍まで重くなる耐震装置の金属ボール（３７）との合計により重くなった分、逆に軽くなる継手鋳・鉄棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）においてシーソー回転上降して、（２５）は（３２）によって火消蓋（２８）をとらえた状態にて、（１５）の空気開閉調整口を締めれば、密封した状態となり、火消壺内は酸素不足の状態になっている為、消火がおこなわれる、この状態を、前記（００１２）図３のこと・図３でより詳細に説明する。
【００１５】  火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、下方向に移動することで、鋳物製目皿（２５）は、目皿・火消蓋アジャスター（２８）の枠内定位置・真下に固定されるのを、より安全確保のために（３９）の安全ストッパーを掛ける。
【００１６】  また、火消壺（３１）内に落下し、消火された燃料ペレットは、再利用することができる、前記［０００３］の特許文献の燃料ペレットは、高密度・燃焼の、着火し難いので、ポリプロピレンを原料としたものを穴空き金属製ペレット状カプセルに収納させた着火装置を使用することが好ましい。
【００１７】  本考案の第２は、本考案の火消し壺兼用熱源順応かまどを熱源として利用するストーブ放熱熱源挿入機装置である、本考案のストーブの断面図を図５、６に示す、また、図５、６中、（１）は、バイオマスペレット燃料用火消し壺兼用熱源順応かまど、（１４）は、バイオマスペレット燃料置き空気孔付き受皿、（３４）は、ストーブ煙突、（３５）は、薪ストーブ窓、（３６）は、ストーブ灰皿受けであるので、薪を燃やし入れたいときには、前記の耐震装置付き火消し壺兼用熱源順応かまどをストーブから取り出して、（１２）のアジャストを設ければ、薪ストーブになる。
【００１８】  本考案の第３は、本考案の前記バイオマスペレット燃料用の耐震装置付き火消し壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記蒸気タービンの蒸気排気口と接続された熱交換器と、前記発電機で発生した電気によってｉは、そのまま電源としての利用で以って、余剰電気は分配・売電出来て、ｉｉは、（１０）の電力変換装置より電気をバッテリーに各別充電して、尚且つ電力変換装置を経て各別電源に変換して持続的に利用できる発電機装置であり、駆動サポートする冷暖房空調機とを備える、発電機・冷暖房空調装置である。
【００１９】  本考案の発電・冷暖房空調機装置の模式図を図７に示す、図中、バイオマスペレット燃料用火消し壺兼用熱源順応かまど（１）で発生した熱により、ボイラー（２）に収容された液体（沸点調性剤使用も可）を沸騰させ、高温、高圧蒸気により保温庫を以って蒸気タービン（３）を高速回転して高出力発電をおこし、得られた電気により、各別電源として用いる発電機装置であり、余力各別電気は、充電し、冷暖房空調をも十二分にサポートして行う装置であり、図７中、（１）は、前記バイオマスペレット燃料用火消し壺兼用熱源順応かまど、（２）は、ボイラー、（３）は、蒸気タービン、（４）は、発電機、（５）は熱交換器、（６）は、電気モーター（電力は自己完結方式）、（７）は、循環ポンプ、（８）は、発電余力電力の充電用安全機、（９）は、充電器、（１０）は、電力変換機装置である。
【符号の説明】
【００２０】１・・・バイオマスペレット燃料用の耐震装置付き火消し壺兼用熱源順応かまど
２・・・ボイラー
３・・・蒸気タービン
４・・・発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消開閉蓋（取換用部品。）
１４・・バイオマスペレット燃料置き空気孔付き受皿（２８と一体構造の鋳物）
１５・・かまど空気開閉調整口（引き違い戸かはめ込み栓方式の何れか。）
１６・・アジャスト空気孔筒伸縮調性蛇腹（内気導入を止めて、外気導入時の備品）
１７・・スチール着火カプセル（ポリプロピレン金属製発火口付カプセル）
１８・・ストーブ
１９・・モーター・除湿調性用ヒーター付き送風ファン
２０・・冷媒機
２１・・モーター付き圧縮ポンプ
２２・・火消用落し蓋アジャスター継ぎ手
２３・・火消用落し蓋アジャスター踏み台
２４・・火消用落し蓋アジャスト重量（目皿＋火消蓋＋１４の燃料合計より重い。）継ぎ        手鋳・鉄棒
２５・・２７継ぎ手と一体構造の鋳物製目皿（２８のアジャスターを目皿の型に刳り抜い        た形体）
２６・・踏み台の補助取っ手
２７・・火消蓋・目皿自在継ぎ手（２８）アジャスターの丁番（３３）を支点に上下降す        る）
２８・・目皿・火消蓋アジャスター・フェンダー（１４）・（２７）と同質の鋳物で（１        ４）と一体構造）
２９・・火消蓋（３２取付具によって２５の目皿と一体化出来、それまでは落蓋。）
３０・・火消蓋アジャスター継ぎ手支点
３１・・火消壺・かまど（珪藻土。）
３２・・目皿の火消蓋自在取付具（３９のストッパーを外す自在解除具併せ持つ）
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボールの（３２）解除具に金属ボールが転がり作動
３８・・外壁ステンレス板（珪藻土外壁強化材）
３９・・安全ストッパー（２９の火消蓋が動かぬ様に固定化。）
４０・・冷暖流水（ボイラー配管放熱パイプの螺旋形保温庫内蔵と保温庫給湯切換機（シ        ーズンに合わせてメンテナンス可。）
４１・・ヒーター（湿度調整）（１９）のヒーターに同じ
４２・・１１の保護鋳物フェンダー（２８のフェンダーと同じ働き）
【図１】
0003175458.tif 000003
【図２】
0003175458.tif 000004
【図３】
0003175458.tif 000005
【図４】
0003175458.tif 000006
【図５】
0003175458.tif 000007
【図６】
0003175458.tif 000008
【図７】
0003175458.tif 000009
【手続補正書】
【提出日】平成23年11月24日(2011.11.24)
【手続補正１】
【補正対象書類名】実用新案登録請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
【手続補正２】
【補正対象書類名】実用新案登録請求の範囲
【補正対象項目名】請求項２
【補正方法】変更
【補正の内容】
【請求項２】
前記耐熱性容器が、珪藻土製の容器である、請求項１に記載の家庭バイオマスペレット燃料用の耐震装置・火消し蓋付き壺兼用熱源順応かまど。
【手続補正３】
【補正対象書類名】実用新案登録請求の範囲
【補正対象項目名】請求項３
【補正方法】変更
【補正の内容】
【請求項３】
さらに、踏み台と、前記踏み台と前記耐震装置・火消し蓋付きとを連結する火消し蓋開閉機構とを備える耐震装置・火消し蓋付き壺兼用熱源順応かまどであって、耐震装置の作動によるか、踏み台を操作することで、火消し蓋開閉機構を通じて、火消し蓋の開閉状態を制御するものである、請求項１又は２に記載の家庭バイオマスペレット燃料用の耐震装置・火消し蓋付き壺兼用熱源順応かまど。
【手続補正４】
【補正対象書類名】実用新案登録請求の範囲
【補正対象項目名】請求項４
【補正方法】変更
【補正の内容】
【請求項４】
前記着火装置が、ポリプロピレンを原料としたものを穴空き金属製ペレット状カプセルに収納させたものである、請求項１〜３のいずれかに記載の家庭バイオマスペレット燃料用の耐震装置・火消し蓋付き壺兼用熱源順応かまど。
【手続補正５】
【補正対象書類名】実用新案登録請求の範囲
【補正対象項目名】請求項５
【補正方法】変更
【補正の内容】
【請求項５】
請求項１〜４のいずれかに記載の家庭バイオマスペレット燃料用の耐震装置・火消し蓋付き壺兼用熱源順応かまどを熱源として用いるストーブ放熱熱源組込み機装置。
【手続補正６】
【補正対象書類名】実用新案登録請求の範囲
【補正対象項目名】請求項６
【補正方法】変更
【補正の内容】
【請求項６】
請求項１〜５のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記熱交換器排出口に繋がる冷暖給水切替機・給湯保温機の保温・給湯・床冷暖房機と、前記発電機で発生した電気によって駆動する床・空調冷暖房機とを備える、床・空調冷暖房機装置。
【手続補正７】
【補正対象書類名】実用新案登録請求の範囲
【補正対象項目名】請求項７
【補正方法】変更
【補正の内容】
【請求項７】
請求項１〜６のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記発電機で発生した電気をバッテリー充電と電力変換機装置を通して使用したり、直接電源として使用出来る自家発電機装置。
【手続補正９】
【補正対象書類名】明細書
【補正対象項目名】０００１
【補正方法】変更
【補正の内容】
【技術分野】
【０００１】
本考案は、専用ボイラーの熱源かまどとしても、又、単独でも料理用かまどとしても、また、前記ストーブ放熱熱源組込み機としての活用も出来て、蒸気タービン駆動の自家発電機と充電器・電力変換機で各種電源も用意出来て、熱交換器・熱エネルギー保温庫を以って、モーターポンプ・送風機を自己完結型にて駆動させることで、給湯・床・空調冷暖両用となる家庭バイオマスペレット燃料用の耐震装置・火消し蓋付き壺兼用熱源順応かまどに関する。
【手続補正１０】
【補正対象書類名】明細書
【補正対象項目名】０００４
【補正方法】変更
【補正の内容】
【考案の概要】
【０００４】
本考案は、上述した実情に鑑みてなされたものであり、より環境にやさしく、どこにでも移設・順応出来る簡単・単純なマルチな家庭バイオマスペレット燃料用の耐震装置・火消し蓋付き壺兼用熱源順応かまど・ストーブ放熱熱源組込・床及び空調冷暖房・給湯・発電機装置を提供することを目的とする。
【手続補正１１】
【補正対象書類名】明細書
【補正対象項目名】０００５
【補正方法】変更
【補正の内容】
【考案の概要】
【０００５】
本考案者は、上記課題を解決すべく鋭意検討した結果、費用対効果があって、環境に優しい家庭バイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製バイオマス燃料からストーブで直接に、そして、複合的に、ボイラー・蒸気タービン駆動の自家発電気で以って前記旧来の化石・電気エネルギーに代えられる物とするため＿直接に、複合的順応マルチかまどである家庭バイオマスペレット熱源用の耐震装置・火消し蓋付き壺兼用熱源順応かまどを考案した。
【手続補正１２】
【補正対象書類名】明細書
【補正対象項目名】０００６
【補正方法】変更
【補正の内容】
【０００６】  かくして本考案によれば、下記（１）〜（４）の家庭バイオマスペレット燃料用の耐震装置・火消し蓋付き壺兼用熱源順応かまど、（５）のストーブ放熱熱源組込み機、（６）の冷暖房空調機装置、（７）の床冷暖房・給湯装置、（８）発電機装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消蓋付きとを連結する火消し蓋開閉機構とを備えるバイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、（１）又は（２）に記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、（１）〜（３）のいずれかに記載の家庭バイオマスペレット燃料用の耐震装置・火消し蓋付き壺兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機。
（６）前記（１）〜（５）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機装置と、前記蒸気タービンの蒸気排気口と接続された熱交換器と、前記発電機で発生した電気によって駆動する冷暖房空調機とを備える、冷暖房空調機装置。
（７）前記（１）〜（６）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯装置。
（８）前記（１）〜（７）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンで発生した高速回転運動エネルギーに比例した高出力電気エネルギーに変換する発電機によって発生した高出力電気を電力変換機装置を経て各種電圧・源を供給したり、選択充電を使用したり出来る前記蒸気タービンで発生した高速回転運動エネルギーを高出力電気エネルギーに変換する自家発電機装置。
【手続補正１３】
【補正対象書類名】明細書
【補正対象項目名】０００７
【補正方法】変更
【補正の内容】
【０００７】  前記（１）〜（８）のいずれかに記載の家庭バイオマスペレット燃料用の耐震装置・火消し蓋付き壺兼用熱源順応かまどを熱源として同時複合変換エネルギー化することで、貴重な前記家庭バイオマスペレット燃料の燃焼１回分をエネルギー１容量とするのに対して、エネルギー複数容量に変換増大化出来ることによって、家庭バイオマスペレット燃料の供給が忘却・不足・停止されても、前記ボイラー内臓の温度感知センサー（２）のヒーター作動にて、持続してエネルギー供給増大化できる家庭バイオマスペレット燃料の耐震装置・火消し蓋付き壺兼用熱源順応かまどエネルギーの前記（１）〜（８）の各種変換増大化装置。
【手続補正１４】
【補正対象書類名】明細書
【補正対象項目名】０００８
【補正方法】変更
【補正の内容】
【０００８】  前記のように一極集中的大型プラントでないセパレート家庭単位毎ミニプラントであって、対既存化石・電気エネルギーに与しない、費用対効果の高いグリーンなバイオマスペレット燃料・蒸気エネルギーとによるボイラー蒸気＿＿タービンの高速回転に比例する高出力発電機と変換電気とで単純・簡単構造にしてリーズナブルな低廉価格でしかも本格的なエネルギー供給可能な燃料源としてのバイオマスペレットかまどを環境・防衛・経済・財政問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来て、広く各家庭の生ゴミを産業廃棄物化せずに家庭バイオマスペレット燃料の耐震装置・火消し蓋付き壺兼用熱源順応かまど燃焼１回分エネルギーを１容量として同時発生的に使用することで、エネルギー複数容量に増大化・費用対効果を持続的に望めるマルチタイプの熱源かまどである家庭バイオマスペレット燃料用の耐震装置・火消し蓋付き壺兼用熱源順応かまど・各種変換増大化装置を考案したのである。
【手続補正１５】
【補正対象書類名】明細書
【補正対象項目名】０００９
【補正方法】変更
【補正の内容】
【図面の簡単な説明】
【０００９】
【図１】  本考案の耐震装置・火消し蓋付き壺兼用熱源順応かまどの正面図である。
【図２】  本考案の耐震装置・火消し蓋付き壺兼用熱源順応かまどの側面図である。
【図３】  本考案の耐震装置・火消し蓋付き壺兼用熱源順応かまどの踏み台を外した状態側Ａ−Ａ”断面図である。
【図４】  本考案の耐震装置・火消し蓋付き壺兼用熱源順応かまどの踏み台を踏んだ状態のＡ−Ａ”側断面図である。
【図５】  本考案のストーブの耐震装置・火消し蓋付き壺兼用熱源順応かまど組込の正面図である。
【図６】  本考案のストーブの耐震装置・火消し蓋付き壺兼用熱源順応かまど組込の側面図である。
【図７】  本考案のシステム実施例を示す図である。
【手続補正１６】
【補正対象書類名】明細書
【補正対象項目名】００１０
【補正方法】変更
【補正の内容】
【００１０】  グリーンな家庭バイオマスペレット燃料用の耐震装置・火消し蓋付き壺兼用熱源順応かまどには、複合的マルチタイプの単体移設型システム内容が求められている。本考案の家庭バイオマスペレット燃料用の耐震装置・火消し蓋付き壺兼用熱源順応かまどは、その内容が難しくない簡単・単純なもので、複合的連関を発生させる考案実施の形態であって、バイオマスペレット燃料の専用かまどとして環境に優しく、高温に耐えられて、持ち運び移設に小型・簡便で、しかも安全であることを可能とした工夫が家庭バイオマスペレット燃料用の耐震装置・火消し蓋付き壺兼用熱源順応かまどである。
【手続補正１７】
【補正対象書類名】明細書
【補正対象項目名】００１１
【補正方法】変更
【補正の内容】
【００１１】  本考案に用いる燃料ペレットは特に制限されず、しかしながら、ダイオキシンや重金属の除去されていないものや、余分なものが混在している、例えば、放射能をかぶったバイオマスの除洗が出来ていないものは制限されるが、それらに対して（０００３）特許のペレット燃料は全てを満たしているから制限されないが、そのように満たされずに制限されないとすれば、寧ろ、用途・防衛的には、石炭・コークスは、バイオマスの使用量を超えない比較バランス範囲内であれば、制限され＿＿＿＿＿＿＿＿＿＿＿＿＿＿＿＿無いのである。
【手続補正１８】
【補正対象書類名】明細書
【補正対象項目名】００１２
【補正方法】変更
【補正の内容】
【００１２】  以下、添付図面符号に従って一実施例を説明する、
図３・４は、本考案の家庭バイオマスペレット燃料用の耐震装置・火消し蓋付き壺兼用熱源順応かまどの実施例を示す図２の断面図である、
図３・４中、（１１）は、ストーブ用耐熱珪藻土かまど、（１４）は、バイオマスペレット燃料置き空気孔付き受皿、（１５）、は、かまど空気調整開閉調整口、（２２）は、火消し用落し蓋アジャスター継ぎ手、（２３）は、火消し用落し蓋アジャスター踏み台、（２４）は、火消し用落し蓋アジャスト重量（目皿・火消し蓋・（１４）の燃料より重い）継ぎ手鋳物棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消し蓋の支点のアジャスターの丁番（３３）にて、シーソー・上下降する）、（２８）は、目皿・火消し蓋アジャスター、（２９）は、火消し蓋（（３２）の目皿の自在取付具によって用をなして、それまでは単なる自在蓋であるが、（２８）のアジャスターの真下に位置して（３１）の火消し壺内を密閉する。）、（３０）は、火消し蓋アジャスター継ぎ手支点、（３１）は、火消し壺・かまど、（３２）は、目皿の火消し蓋自在取付具で、（３９）の自在解除具を併せ持つ、（３３）は、鋳物製目皿（２５）と火消し蓋・目皿自在継ぎ手（２７）との継ぎ手丁番である、
図３において、鋳物製目皿（２５）は、鋳物製目皿（２５）と火消し蓋・目皿自在継ぎ手（２７）と目皿と継ぎ手・火消し蓋の支点のアジャスターの丁番（３３）において回動自在に取り付けられており、通常は、（２５）の鋳物製目皿、（２９）の火消し用落し蓋と、（１４）の燃料の総重量より重い継ぎ手鋳物棒（２４）の重力により、火消し蓋・目皿自在継ぎ手（２７）に図中下方向に力が働くことで、鋳物製目皿（２５）は、目皿・火消し蓋アジャスター（２８）よりくり抜かれた形が正確にはまり込む（目皿の粋内定位置）ことで、（３２）の取付具によって（２９）の火消し蓋が（２８）のアジャスターの真下にくるように固定されている。
【手続補正１９】
【補正対象書類名】明細書
【補正対象項目名】００１３
【補正方法】変更
【補正の内容】
【００１３】  図３・４に示す家庭バイオマスペレット燃料用の耐震装置・火消し蓋付き壺兼用熱源順応かまどは、バイオマスペレット燃料をバイオマスペレット燃料置き空気孔付き受皿（１４）内に入れ、（２９）の火消し蓋を（３２）の自在取付具より放すに、（２５）の目皿の隙間から軽く叩き落とすか、（３２）の取付具を解放して（３１）火消し壺・かまど内に落とし、（１５）のかまどの空気調整口を開けて、そこでバイオマスペレット燃料を燃焼させる装置である。
【手続補正２０】
【補正対象書類名】明細書
【補正対象項目名】００１４
【補正方法】変更
【補正の内容】
【００１４】  また、使用を中断したい場合等においては、以下のように、（３９）のストッパーを外してから、又は、耐震装置（３７）の金属ボールが、自在解除具（３２）を作動して、（３９）のストッパーが外れて、燃焼中のバイオマスペレット燃料を火消し壺（３１）中に落とし、消火することができる、すなわち、火消し湿用落し蓋アジャスター踏み台（２３）を足で踏むことによるか、耐震装置（３７）により、（２５）の目皿、（２８）の火消し用落し蓋、（１４）の中身の燃料の合計重量より（２４）の鋳・鉄棒の重量は、重いか、又は、尚更に合計重量に加えて、（３７）の金属ボールの移動落下荷重によって一時的に２倍まで重くなる耐震装置の金属ボール（３７）との合計により重くなった分、逆に軽くなる継手鋳・鉄棒（２４）が、図中、前記の何れかによって上方向に移動し、火消し用落し蓋アジャスター継ぎ手（２２）及び火消し蓋・目皿自在継ぎ手（２７）が、図中、上方向に移動すると、目皿・火消し蓋アジャスター（２８）の真下にくるように固定されていた鋳物製目皿（２５）は、目皿と継ぎ手・火消し蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）においてシーソー回転上降して、（２５）は（３２）によって火消し蓋（２８）をとらえた状態にて、（１５）の空気開閉調整口を締めれば、密封した状態となり、火消し壺内は酸素不足の状態になっている為、消火がおこなわれる、この状態を、前記（００１２）図３のこと・図３でより詳細に説明する。
【手続補正２１】
【補正対象書類名】明細書
【補正対象項目名】００１５
【補正方法】変更
【補正の内容】
【００１５】  火消し用落し蓋アジャスター踏み台（２３）から足を離すと、火消し用落し蓋アジャスト重量（目皿より重い）継ぎ手鋳物棒（２４）が、図中、重力により下方向に移動し、火消し用落し蓋アジャスター継ぎ手（２２）及び火消し蓋・目皿自在継ぎ手（２７）が、図中、下方向に移動することで、鋳物製目皿（２５）は、目皿・火消し蓋アジャスター（２８）の枠内定位置・真下に固定されるのを、より安全確保のために（３９）の安全ストッパーを掛けて、（１５）の空気開閉調整口を閉めると消火となり、前記（１５）を空けて、火消し蓋（２９）を（３１）中に落として、バイオマスペレット燃料を投入すれば、着火燃焼できる。
【手続補正２２】
【補正対象書類名】明細書
【補正対象項目名】００１６
【補正方法】変更
【補正の内容】
【００１６】また、火消し壺（３１）内に落下し、消火されたバイオマスペレット燃料は、再利用することができる、前記（０００３）の特許文献の燃料ペレットは、高密度・燃焼の、着火し難いので、ポリプロピレンを原料としたものを穴空き金属製ペレット状カプセルに収納させた着火装置を使用することが好ましい。
【手続補正２３】
【補正対象書類名】明細書
【補正対象項目名】００１７
【補正方法】変更
【補正の内容】
【００１７】  本考案の第２は、本考案の家庭バイオマスペレット燃料用の耐震装置・火消し蓋付き壺兼用熱源順応かまどを熱源として利用するストーブ放熱熱源挿入機装置である、本考案のストーブの断面図を図５、６に示す、また、図５、６中、（１）は、バイオマスペレット燃料用の耐震装置・火消し蓋付き壺兼用熱源順応かまど、（１４）は、バイオマスペレット燃料置き空気孔付き受皿、（３４）は、ストーブ煙突、（３５）は、薪ストーブ窓、（３６）は、ストーブ灰皿受けであるので、薪を燃やし入れたいときには、前記の家庭バイオマスペレット燃料用の耐震装置・火消し蓋付き壺兼用熱源順応かまどをストーブから取り出して、（１２）のアジャストを設ければ、薪ストーブになる。
【手続補正２４】
【補正対象書類名】明細書
【補正対象項目名】００１８
【補正方法】変更
【補正の内容】
【００１８】  本考案の第３は、本考案の前記家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記蒸気タービンの蒸気排気口と接続された熱交換器と、前記発電機で発生した電気によってｉは、そのまま電源としての利用で以って、余剰電気は分配・売電出来て、ｉｉは、（１０）の電力変換装置より電気をバッテリーに各別充電して、尚且つ電力変換装置を経て各別電源に変換して持続的に利用できる発電機装置であり、駆動サポートする冷暖房空調機とを備える、自家発電機・冷暖房空調装置である。
【手続補正２５】
【補正対象書類名】明細書
【補正対象項目名】００１９
【補正方法】変更
【補正の内容】
【００１９】  本考案の発電・冷暖房空調機装置の模式図を図７に示す、図中、家庭バイオマスペレット燃料用の耐震装置・火消し蓋付き壺兼用熱源順応かまど（１）で発生した熱により、ボイラー（２）に収容された液体（沸点調性剤使用も可）を沸騰させ、高温、高圧蒸気により＿＿＿＿＿蒸気タービン（３）を高速回転して高出力発電をおこし、得られた電気により、各別電源として用いる自家発電機装置であり、余力各別電気は、（２）の内蔵ヒーター作動時も共に持続複合化使用可能にして、充電・売電し、尚且つ保温庫を以って給湯・床・空調冷暖房をも十二分にサポートして行う装置であり、図７中、（１）は、前記家庭バイオマスペレット燃料用の耐震装置・火消し蓋付き壺兼用熱源順応かまど、（２）は、ボイラー、（３）は、蒸気タービン、（４）は、発電機、（５）は熱交換器、（６）は、電気モーター（電力は自己完結方式）、（７）は、循環ポンプ、（８）は、発電余力電力の充電用安全機、（９）は、充電器  、（１０）は、電力変換機装置である。
【手続補正２６】
【補正対象書類名】明細書
【補正対象項目名】符号の説明００２０
【補正方法】変更
【補正の内容】
【符号の説明】
【００２０】
１・・・家庭バイオマスペレット燃料用の耐震装置・火消し蓋付き壺兼用熱源順応かまど
２・・・ボイラー（温度センサー付き自己完結型電気ヒーター・切換機装置内蔵）
３・・・蒸気タービン
４・・・発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消し開閉蓋（取換用部品。）
１４・・バイオマスペレット燃料置き空気孔付き受皿（２８と一体構造の鋳物）
１５・・かまど空気開閉調整口（引き違い戸かはめ込み栓方式の何れか。）
１６・・アジャスト空気孔筒伸縮調性蛇腹（内気導入を止めて、外気導入時の備品）
１７・・スチール着火カプセル（ポリプロピレン金属製発火口付カプセル）
１８・・ストーブ放熱熱源組込機
１９・・モーター・除湿調性用ヒーター付き送風ファン
２０・・冷媒機
２１・・モーター付き圧縮ポンプ（冷暖切換機付き）
２２・・火消し用落し蓋アジャスター継ぎ手
２３・・火消し用落し蓋アジャスター踏み台
２４・・火消し用落し蓋アジャスト重量（目皿＋火消し蓋＋（１４）の燃料合計より重い。）継ぎ手鋳・鉄棒
２５・・２７継ぎ手と一体構造の鋳物製目皿（（２８）のアジャスターを目皿の型に刳り抜いた形体）
２６・・踏み台の補助取っ手
２７・・火消し蓋・目皿自在継ぎ手（２８）アジャスターの丁番（３３）を支点に上下降する）
２８・・目皿・火消し蓋アジャスター・フェンダー（１４）・（２７）と同質の鋳物で（１４）と一体構造）
２９・・火消し蓋（（３２）取付具によって（２５）の目皿と一体化出来、それまでは落蓋。）
３０・・火消し蓋アジャスター継ぎ手支点
３１・・火消し壺・かまど（珪藻土。）
３２・・目皿の火消し蓋自在取付具（（３９）のストッパーを外す自在解除具併せ持つ）
３３・・目皿と継ぎ手・火消し蓋の支点のアジャスターの丁番
３４・・ストーブ煙突
３５・・薪ストーブ窓
３６・・ストーブ灰皿受け
３７・・耐震装置金属ボールの（３２）解除具に金属ボールが転がり作動
３８・・外壁ステンレス板（珪藻土外壁強化材）
３９・・安全ストッパー（２９の火消し蓋が動かぬ様に固定化、（３２）の自在解除具とリードラインで繋がっている）
４０・・保温庫（ボイラー配管放熱パイプの螺旋形保温庫内蔵と保温庫内放熱吸収熱湯給湯切換機（シーズンに合わせてメンテナンス可、床暖引込口・パイプ等埋設設備複数予備パイプライン・ジョイントあり。）
４１・・ヒーター（湿度調整）（１９）のヒーターに同じ
４２・・１１の保護鋳物フェンダー（２８のフェンダーと同じ働き）
【手続補正２７】
【補正対象書類名】図面
【補正対象項目名】図７
【補正方法】変更
【補正の内容】
【図７】
0003175458.tif 000010
【手続補正書】
【提出日】平成23年11月28日(2011.11.28)
【手続補正１】
【補正対象書類名】実用新案登録請求の範囲
【補正対象項目名】請求項６
【補正方法】変更
【補正の内容】
【請求項６】
請求項１〜５のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記熱交換器排出口に繋がる放熱螺旋形配管パイプが内蔵された保温庫（熱湯保温庫の保温・給湯・床冷暖房機）に繋がる冷媒機と、前記発電機で発生した電気によって駆動・送風する床・空調冷暖房機とを備える、床・空調冷暖房機装置。
【手続補正２】
【補正対象書類名】明細書
【補正対象項目名】０００１
【補正方法】変更
【補正の内容】
【０００１】  本考案は、専用ボイラーの熱源かまどとしても、又、単独でも料理用かまどとしても、また、前記ストーブ放熱熱源組込み機としての活用も出来て、前記ボイラーで発生した高温・圧蒸気で駆動する、前記蒸気タービン駆動の自家発電機と充電器・電力変換機で各種電源も用意出来て、熱交換器・熱エネルギー保温庫を以って、前記保温庫に繋がる冷媒機と自家発電の電気によって駆動・送風するモーターポンプ・送風機で、給湯・床冷暖・空調冷暖両用となる家庭バイオマスペレット燃料用の耐震装置・火消し蓋付き壺兼用熱源順応かまどに関する。
【手続補正３】
【補正対象書類名】明細書
【補正対象項目名】０００６
【補正方法】変更
【補正の内容】
【０００６】  かくして本考案によれば、下記（１）〜（４）の家庭バイオマスペレット燃料用の耐震装置・火消し蓋付き壺兼用熱源順応かまど、（５）のストーブ放熱熱源組込み機、（６）の冷暖房空調機装置、（７）の床冷暖房・給湯装置、（８）発電機装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消蓋付きとを連結する火消し蓋開閉機構とを備えるバイオマスペレット燃料用の耐震装置・火消し蓋付き壷兼用熱源順応かまどであって、耐震装置によるか、踏み台を操作することで、火消蓋開閉機構を通じて、火消蓋の開閉状態を制御するものである、（１）又は（２）に記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、（１）〜（３）のいずれかに記載の家庭バイオマスペレット燃料用の耐震装置・火消し蓋付き壷兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機。
（６）前記（１）〜（５）のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例する高出力電気エネルギーに変換する発電機装置と、前記蒸気タービンの蒸気排気口と接続された熱交換器と、前記熱交換器排出口に繋がる放熱螺旋形配管パイプが内蔵された前記保温庫（熱湯保温庫の保温・給湯・床冷暖房機）に繋がる冷媒機と、前記発電機で発生した電気によって駆動する冷暖房空調機とを備える、冷暖房空調機装置。
（７）前記（１）〜（６）のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンの蒸気排気口と接続された熱交換器と、前記熱交換器排出口に繋がる放熱螺旋形配管パイプが内蔵された前記保温庫（熱湯保温庫の保温・給湯・床冷暖房機）と、床冷暖房機とを備える、床冷暖房・給湯装置。
（８）前記（１）〜（７）のいずれかに記載の家庭バイオマスペレット燃料用の耐震装置・火消し蓋付き壺兼用熱源順応かまどを熱源として用いる前記ボイラーで発生した高温・圧蒸気（前記熱湯保温器の熱効率を加味して、）で駆動する蒸気タービンと、前記蒸気タービンで発生した高速回転運動エネルギーに比例した高出力電気エネルギーに変換する発電機によって発生した高出力電気を電力変換機装置を経て各種電圧・源を供給したり、選択充電を使用したり出来る前記蒸気タービンで発生した高速回転運動エネルギーを高出力電気エネルギーに変換する自家発電機装置。
【手続補正４】
【補正対象書類名】明細書
【補正対象項目名】００１８
【補正方法】変更
【補正の内容】
【００１８】  本考案の第３は、本考案の前記家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例する高出力電気エネルギーに変換する発電機と、前記蒸気タービンの蒸気排気口と接続された熱交換器と、前記熱交換器排出口に繋がる放熱螺旋形配管パイプが内蔵された前記保温庫（熱湯保温庫の保温・給湯・床冷暖房機）に繋がる冷媒機と、前記発電機で発生した電気によってｉは、そのまま電源としての利用で以って、余剰電気は分配・売電出来て、ｉｉは、（１０）の電力変換装置より電気をバッテリーに各別充電して、尚且つ電力変換装置を経て各別電源に変換して持続的に利用できる自家発電機装置であり、前記発電気によって、駆動・送風サポートする冷暖房空調機とを備える、自家発電機・冷暖房床・空調装置である。
【手続補正５】
【補正対象書類名】明細書
【補正対象項目名】００２０
【補正方法】変更
【補正の内容】
【００２０】１・・・家庭バイオマスペレット燃料用の耐震装置・火消し蓋付き壺兼用熱源順応かまど
２・・・ボイラー（温度センサー付き自己完結型電気ヒーター・切換機装置内蔵）
３・・・蒸気タービン
４・・・自家発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消し開閉蓋（取換用部品。）
１４・・バイオマスペレット燃料置き空気孔付き受皿（２８と一体構造の鋳物）
１５・・かまど空気開閉調整口（引き違い戸かはめ込み栓方式の何れか。）
１６・・アジャスト空気孔筒伸縮調性蛇腹（内気導入を止めて、外気導入時の備品）
１７・・スチール着火カプセル（ポリプロピレン金属製発火口付カプセル）
１８・・ストーブ放熱熱源組込機
１９・・モーター・除湿調性用ヒーター付き送風ファン
２０・・冷媒機
２１・・モーター付き圧縮ポンプ（冷暖切換機付き）
２２・・火消し用落し蓋アジャスター継ぎ手
２３・・火消し用落し蓋アジャスター踏み台
２４・・火消し用落し蓋アジャスト重量（目皿＋火消し蓋＋（１４）の燃料合計より重い。）継ぎ手鋳・鉄棒
２５・・２７継ぎ手と一体構造の鋳物製目皿（（２８）のアジャスターを目皿の型に刳り抜いた形体）
２６・・踏み台の補助取っ手
２７・・火消し蓋・目皿自在継ぎ手（２８）アジャスターの丁番（３３）を支点に上下降する）
２８・・目皿・火消し蓋アジャスター・フェンダー（１４）・（２７）と同質の鋳物で（１４）と一体構造）
２９・・火消し蓋（（３２）取付具によって（２５）の目皿と一体化出来、それまでは落蓋。）
３０・・火消し蓋アジャスター継ぎ手支点
３１・・火消し壺・かまど（珪藻土。）
３２・・目皿の火消し蓋自在取付具（（３９）のストッパーを外す自在解除具併せ持つ）
３３・・目皿と継ぎ手・火消し蓋の支点のアジャスターの丁番
３４・・ストーブ煙突
３５・・薪ストーブ窓
３６・・ストーブ灰皿受け
３７・・耐震装置金属ボールの（３２）解除具に金属ボールが転がり作動
３８・・外壁ステンレス板（珪藻土外壁強化材）
３９・・安全ストッパー（２９の火消し蓋が動かぬ様に固定化、（３２）の自在解除具とリードラインで繋がっている）
４０・・保温庫（熱交換器に繋がる配管放熱パイプの螺旋形保温庫内蔵と、保温庫の熱湯給湯・床暖・熱湯保温する（                                床暖引込口・パイプ等埋設設備複数予備パイプライン・ジョイントあり。）、冷媒機に接続する
４１・・ヒーター（湿度調整）（１９）のヒーターに同じ
４２・・１１の保護鋳物フェンダー（（２８）のフェンダーと同じ働き）
【手続補正６】
【補正対象書類名】図面
【補正対象項目名】図７
【補正方法】変更
【補正の内容】
【図７】
0003175458.tif 000011
【手続補正書】
【提出日】平成23年12月5日(2011.12.5)
【手続補正１】
【補正対象書類名】実用新案登録請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた耐震装置・火消し蓋付き壺と、熱源かまどが一体化して、着火装置とを備える、家庭バイオマスペレット燃料用の耐震装置・火消し蓋付き壺兼用熱源順応かまど。
【手続補正２】
【補正対象書類名】明細書
【補正対象項目名】０００４
【補正方法】変更
【補正の内容】
【０００４】  本考案の第１は、上述した実情に鑑みてなされたものであり、より環境にやさしく、どこにでも移設・順応出来る簡単・単純な耐震装置・火消し蓋付き壺と熱源かまどが、一体的で、安全なマルチな熱源順応装置であるバイオマスペレット燃料用の耐震装置・火消し蓋付き壺兼用熱源順応かまどおよびポリプロピレンを原料としたものを穴空き金属製ペレット状カプセルに収納させた着火装置・ストーブ放熱熱源組込・床及び空調冷暖房・給湯・発電機装置を提供することを目的とする。
【手続補正３】
【補正対象書類名】明細書
【補正対象項目名】００１８
【補正方法】変更
【補正の内容】
【００１８】  本考案の第３は、本考案の前記バイオマスペレット燃料用の耐震装置付き火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記蒸気タービンの蒸気排気口と接続された熱交換器と、前記発電機で発生した電気によってｉは、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（２）の内蔵センサー付き高出力電気ヒーターによって、エネルギー供給が、複合・持続されて、余剰電気は、分配・売電出来て、ｉｉは、（１０）の電力変換装置より電気をバッテリーに各別充電して、尚且つ電力変換装置を経て各別電源に変換して自己完結的に利用できる自家発電機装置であり、駆動サポートする冷暖房空調機とを備える、発電機・冷暖房空調装置である。
【手続補正書】
【提出日】平成23年12月7日(2011.12.7)
【手続補正１】
【補正対象書類名】明細書
【補正対象項目名】０００４
【補正方法】変更
【補正の内容】
【０００４】  本考案の第１は、上述した実情に鑑みてなされたものであり、より環境にやさしく、どこにでも移設・順応出来る簡単・単純な耐震装置・火消し蓋付き壺と熱源かまどが、一体的で、安全なマルチな熱源順応装置である家庭バイオマスペレット燃料用の耐震装置・火消し蓋付き壺兼用熱源順応かまどおよびポリプロピレンを原料としたものを穴空き金属製ペレット状カプセルに収納させた着火装置・ストーブ放熱熱源組込・床及び空調冷暖房・給湯・発電機装置を提供することを目的とする。
【手続補正２】
【補正対象書類名】明細書
【補正対象項目名】００１８
【補正方法】変更
【補正の内容】
【００１８】  本考案の第３は、本考案の前記バイオマスペレット燃料用の耐震装置・火消し蓋付き壺兼用熱源順応かまどを燃焼容量１回分投与のエネルギー容量１とする、熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記発電機で発生した電気によってｉは、前記ボイラーの沸点状態に於ける熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（２）の内蔵センサー付き高出力電気ヒーターによって、エネルギー供給が、複合・持続されて、余剰電気は、分配・売電出来て、ｉｉは、（１０）の電力変換装置より電気をバッテリーに各別充電して、尚且つ電力変換装置を経て各別電源に変換して自己完結的に利用できる自家発電機装置であり、駆動サポートする冷暖房空調機とを備える、発電機・冷暖房空調装置である。
【手続補正書】
【提出日】平成24年2月29日(2012.2.29)
【手続補正１】
【補正対象書類名】実用新案登録請求の範囲
【補正対象項目名】請求項６
【補正方法】変更
【補正の内容】
【請求項６】
請求項１〜４のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記熱交換器排出口に繋がる放熱螺旋形配管パイプが内蔵された保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体が、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー内自家発電の高出力電気放熱螺旋形配管ヒーターパイプも併せた加熱とを加えた加熱量によって、保温庫内給湯量の大量使用の冷水入れ替え時にも対応出来る、これによって、中心パイプ内液体保温状態で、持続的熱湯保温・給湯・床冷暖房機に繋がる冷媒機と、前記発電機で発生した電気によって駆動・送風する床・空調冷暖房機とを備える、床・空調冷暖房機装置。

【手続補正２】
【補正対象書類名】実用新案登録請求の範囲
【補正対象項目名】請求項７
【補正方法】変更
【補正の内容】
【請求項７】
請求項１〜４のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する発電機と、前記発電機で発生した電気をバッテリー充電と電力変換機装置を通して使用したり、直接電源として使用出来る自家発電機装置。

【手続補正３】
【補正対象書類名】明細書
【補正対象項目名】０００６
【補正方法】変更
【補正の内容】
【０００６】
かくして本考案によれば、下記（１）〜（４）の家庭バイオマスペレット燃料用の耐震装置・火消し蓋付き壺兼用熱源順応かまど、（５）のストーブ放熱熱源組込み機、（６）の冷暖房空調機装置、（７）の床冷暖房・給湯装置、（８）発電機装置が提供される。
（１）
少なくとも上部に開口部を有する耐熱性容器と、前記耐熱性容器の上部の開口部を
開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消蓋付きとを連結する火消し蓋開閉機構とを備えるバイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、（１）又は（２）に記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、（１）〜（３）のいずれかに記載の家庭バイオマスペレット燃料用の耐震装置・火消し蓋付き壺兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機。
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例する高出力電気エネルギーに変換する発電機装置と、前記蒸気タービンの蒸気排気口と接続された熱交換器と、前記熱交換器排出口に繋がる放熱螺旋形配管パイプが内蔵された前記保温庫の部分の、前記放熱螺旋形配管パイプが、尚更なる、放熱螺旋形配管パイプで二重に密閉して被せられ、内部液体は、中心パイプ内蔵の液体と類似のものである、これによって熱伝導率の高いパイプ状容器の二重構造体が、液体の放熱高伝導率・温まると冷めにくい効果をも併せ以って保温庫内変動温度の影響を急激に受け難く、また更に、前記自家発電機の高出力電気の温度センサー付き保温庫内加熱ヒーター放熱螺旋形配管パイプと前記耐震装置・火消し蓋付き壺兼用熱源順応かまど前記ボイラー内蔵の温度センサー付き自家発電の高出力電気放熱螺旋形配管ヒーター加熱を併せた前記ボイラー過熱とを加えた熱量によって、保温庫内給湯量の大量使用の冷水入れ替え時にも対応出来る、其れによって、中心パイプ内液体の保温状態で、持続的熱湯保温・給湯・床冷暖房機に繋がる冷媒機と、前記発電機で発生した電気によって駆動する冷暖房空調機とを備える、冷暖房空調機装置。
（７）前記（１）〜（４）のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンの蒸気排気口と接続された熱交換器と、前記熱交換器排出口に繋がる放熱螺旋形配管パイプが内蔵された前記保温庫（熱湯保温庫の保温・給湯・床冷暖房機）と、床冷暖房機とを備える、床冷暖房・給湯装置。
（８）前記（１）〜（４）のいずれかに記載の家庭バイオマスペレット燃料用の耐震装置・火消し蓋付き壺兼用熱源順応かまどを熱源として用いる前記ボイラーで発生した高温・圧蒸気（前記熱湯保温器の熱効率を加味して、）で駆動する蒸気タービンと、前記蒸気タービンで発生した高速回転運動エネルギーに比例した高出力電気エネルギーに変換する発電機によって発生した高出力電気を電力変換機装置を経て各種電圧・源を供給したり、選択充電を使用したり出来る前記蒸気タービンで発生した高速回転運動エネルギーを高出力電気エネルギーに変換する自家発電機装置。

【手続補正４】
【補正対象書類名】明細書
【補正対象項目名】００１７
【補正方法】変更
【補正の内容】
【００１７】
本考案の第２は、本考案の家庭バイオマスペレット燃料用の耐震装置・火消し蓋付き壺兼用熱源順応かまどを熱源として利用するストーブ放熱熱源挿入機装置である、本考案のストーブの断面図を図５、６に示す、また、図５、６中、（１）は、バイオマスペレット燃料用の耐震装置・火消し蓋付き壺兼用熱源順応かまど、（１４）は、バイオマスペレット燃料置き空気孔付き受皿、（３４）は、ストーブ煙突、（３５）は、薪ストーブ窓、（３６）は、ストーブ灰皿受けであるので、薪を燃やし入れたいときには、前記の家庭バイオマスペレット燃料用の耐震装置・火消し蓋付き壺兼用熱源順応かまどをストーブから取り出して、（１２）のアジャストを設ければ、薪ストーブになるし、前記の追い炊き加熱のこと（０００６）の（６）の際には、自在に前記耐震装置・火消し蓋付き壺兼用熱源順応かまどを使用中でも、火を消してから、簡単・容易に持ち出してボイラーのかまどとして用いることが出来る。

【手続補正５】
【補正対象書類名】明細書
【補正対象項目名】００１９
【補正方法】変更
【補正の内容】
【００１９】
本考案の発電・冷暖房空調機装置の模式図を図７に示す、図中、家庭バイオマスペレット燃料用の耐震装置・火消し蓋付き壺兼用熱源順応かまど（１）で発生した熱により、ボイラー（２）に収容された液体（沸点調性剤使用も可）を沸騰させ、高温、高圧蒸気により蒸気タービン（３）を高速回転して高出力発電をおこし、得られた電気により、各別電源として用いる自家発電機装置であり、余力各別電気は、（２）の内蔵ヒーター作動時も共に持続複合化使用可能にして、充電・売電し、尚且つ保温庫を以って、前記大量給湯使用時の冷水との交換時の追い炊き・加熱電気ヒーターによって熱湯保持される（０００６）の（６）のことで、給湯・床・空調冷暖房をも十二分にサポートして行う装置であり、図７中、（１）は、前記家庭バイオマスペレット燃料用の耐震装置・火消し蓋付き壺兼用熱源順応かまど、（２）は、ボイラー、（３）は、蒸気タービン、（４）は、発電機、（５）は熱交換器、（６）は、電気モーター（電力は自己完結方式）、（７）は、循環ポンプ、（８）は、発電余力電力の充電用安全機、（９）は、充電器  、（１０）は、電力変換機装置である。

【手続補正６】
【補正対象書類名】明細書
【補正対象項目名】００２０
【補正方法】変更
【補正の内容】
【００２０】
１・・・家庭バイオマスペレット燃料用の耐震装置・火消し蓋付き壺兼用熱源順応かまど
２・・・ボイラー（温度センサー付き自己完結型電気ヒーター・切換機装置内蔵）
３・・・蒸気タービン
４・・・自家発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消し開閉蓋（取換用部品。）
１４・・バイオマスペレット燃料置き空気孔付き受皿（２８と一体構造の鋳物）
１５・・かまど空気開閉調整口（引き違い戸かはめ込み栓方式の何れか。）
１６・・アジャスト空気孔筒伸縮調性蛇腹（内気導入を止めて、外気導入時の備品）
１７・・スチール着火カプセル（ポリプロピレン金属製発火口付カプセル）
１８・・ストーブ放熱熱源組込機
１９・・モーター・除湿調性用ヒーター付き送風ファン
２０・・冷媒機
２１・・モーター付き圧縮ポンプ（冷暖切換機付き）
２２・・火消し用落し蓋アジャスター継ぎ手
２３・・火消し用落し蓋アジャスター踏み台
２４・・火消し用落し蓋アジャスト重量（目皿＋火消し蓋＋（１４）の燃料合計より重い。継ぎ手鋳・鉄棒
２５・・２７継ぎ手と一体構造の鋳物製目皿（（２８）のアジャスターを目皿の型に刳り抜いた形体）
２６・・踏み台の補助取っ手
２７・・火消し蓋・目皿自在継ぎ手（２８）アジャスターの丁番（３３）を支点に上下降する）
２８・・目皿・火消し蓋アジャスター・フェンダー（１４）・（２７）と同質の鋳物で（１４）と一体構造）
２９・・火消し蓋（（３２）取付具によって（２５）の目皿と一体化出来、それまでは落蓋。）
３０・・火消し蓋アジャスター継ぎ手支点
３１・・火消し壺・かまど（珪藻土。）
３２・・目皿の火消し蓋自在取付具（（３９）のストッパーを外す自在解除具併せ持つ）
３３・・目皿と継ぎ手・火消し蓋の支点のアジャスターの丁番
３４・・ストーブ煙突
３５・・薪ストーブ窓
３６・・ストーブ灰皿受け
３７・・耐震装置金属ボールの（３２）解除具に金属ボールが転がり作動
３８・・外壁ステンレス板（珪藻土外壁強化材）
３９・・安全ストッパー（２９の火消し蓋が動かぬ様に固定化、（３２）の自在解除具とリードラインで繋がっている）
４０・・保温庫は、熱交換器に繋がる大小の配管放熱パイプの螺旋形二重構造にして、液体を密閉内蔵した二重配管放熱螺旋形パイプの保温庫内内蔵と、自家発電高出力電気の保温庫内蔵電気放熱螺旋形温度センサー付き加熱ヒーターパイプによる保温庫の熱湯給湯・床暖・熱湯保温する床暖引込口・パイプ等埋設設備複数予備パイプライン・ジョイントあり 、冷媒機に接続する
４１・・ヒーター（湿度調整）（１９）のヒーターに同じ
４２・・１１の保護鋳物フェンダー（（２８）のフェンダーと同じ働き）

【手続補正７】
【補正対象書類名】図面
【補正対象項目名】図７
【補正方法】変更
【補正の内容】
【図７】
0003175458.tif 000012